(57)【要約】【課題】  ログインするユーザが携帯する携帯端末の数に適応して、当該ユーザの情報処理装置へのログインを制御する。【解決手段】    ＩＤ情報が記憶された携帯端末と人体通信するインタフェースを備えて、所定の情報処理を行う情報処理装置において、インタフェースにより複数の通信端末と通信していると判断した場合、人体通信によるログイン処理を制限することを特徴とする。【選択図】  図９
2015219883.tif 000002
【特許請求の範囲】
【請求項１】
所定の情報処理を行う情報処理装置であって、
ＩＤ情報が記憶された携帯端末と人体通信するインタフェースと、
前記インタフェースにより複数の通信端末と通信しているかどうかを判断する第１の判断手段と、
前記複数の携帯端末と通信していると判断した場合、前記人体通信によるログイン処理を制限する制限手段と、
を備えることを特徴とする情報処理装置。
【請求項２】
所定の情報処理を行う情報処理装置であって、
ＩＤ情報が記憶された携帯端末と人体通信するインタフェースと、
前記インタフェースにより複数の通信端末と通信しているかどうかを判断する第１の判断手段と、
前記複数の携帯端末と通信していると判断した場合、通信している各携帯端末から取得される各ＩＤ情報が有効なＩＤであるかどうかを判断する第２の判断手段と、
前記第２の判断手段がいずれかのＩＤ情報が有効でないと判断した携帯端末をデータの記憶先として使用するかどうかを判断する第３の判断手段と、
前記ＩＤ情報が有効でないと判断した携帯端末をデータの記憶先として使用すると判断した場合、当該携帯端末をデータの記憶先として使用可能な状態に遷移させる第１の制御手段と、
を備えることを特徴とする情報処理装置。
【請求項３】
前記第２の判断手段がＩＤ情報は有効であると判断した複数の携帯端末のいずれかを使用する携帯端末として選択させる選択手段を備えることを特徴とする請求項２記載の情報処理装置。
【請求項４】
前記選択手段により選択された携帯端末のＩＤ情報と実行された機能を特定する情報とを組み合わせた情報を記憶手段に登録する登録手段を備えることを特徴とする請求項３記載の情報処理装置。
【請求項５】
前記第２の判断手段がＩＤ情報は有効であると判断して、前記複数の携帯端末のいずれかを使用する携帯端末として選択した後、他の有効なＩＤ情報による要求を受け付ける状態に遷移させる第２の制御手段を備えることを特徴とする請求項２記載の情報処理装置。
【請求項６】
記憶手段に登録された情報に対して消去を要求する要求者が管理者であるか、通常のユーザであるかを識別する識別手段と、
前記識別手段が識別する要求者が管理者であると識別した場合、前記記憶手段に登録された組み合わせの情報を全て消去し、前記識別手段が識別する要求者が通常のユーザであると識別した場合、当該識別したユーザの組み合わせ情報を消去するように制御する第３の制御手段と、
を備えることを特徴とする請求項２記載の情報処理装置。
【請求項７】
前記第２の判断手段が有効であると判断したＩＤ情報が管理者ＩＤであるかどうかを判断する第４の判断手段を備え、
前記第２の判断手段が有効であると判断したＩＤ情報が管理者ＩＤである
は有効であると判断した場合、当該管理者ＩＤでのログイン処理を実行することを特徴とする請求項２記載の情報処理装置。
【請求項８】
前記インタフェースにより複数の通信端末と通信していると判断した場合、ログインの処理を制限することを通知することを特徴とする請求項１または２記載の情報処理装置。
【請求項９】
ＩＤ情報が記憶された携帯端末と人体通信するインタフェースを備えて、所定の情報処理を行う情報処理装置の制御方法であって、
前記インタフェースにより複数の通信端末と通信しているかどうかを判断する第１の判断工程と、
前記複数の携帯端末と通信していると判断した場合、前記人体通信によるログイン処理を制限する制限工程と、
を備えることを特徴とする情報処理装置の制御方法。
【請求項１０】
ＩＤ情報が記憶された携帯端末と人体通信するインタフェースを備えて、所定の情報処理を行う情報処理装置の制御方法であって、
前記インタフェースにより複数の通信端末と通信しているかどうかを判断する第１の判断工程と、
前記複数の携帯端末と通信していると判断した場合、通信している各携帯端末から取得される各ＩＤ情報が有効なＩＤであるかどうかを判断する第２の判断工程と、
前記第２の判断工程で、いずれかのＩＤ情報が有効でないと判断した携帯端末をデータの記憶先として使用するかどうかを判断する第３の判断工程と、
前記ＩＤ情報が有効でないと判断した携帯端末をデータの記憶先として使用すると判断した場合、当該携帯端末をデータの記憶先として使用可能な状態に遷移させる第１の制御工程と、
を備えることを特徴とする情報処理装置の制御方法。
【請求項１１】
請求項９または１０に記載の情報処理装置の制御方法をコンピュータに実行させることを特徴とするプログラム。
【発明の詳細な説明】
【技術分野】
【０００１】
本発明は、情報処理装置、情報処理装置の制御方法、及びプログラムに関するものである。
【背景技術】
【０００２】
パーソナルコンピュータや複合機等の情報処理装置をユーザが利用するとき、個人認証を行って情報処理装置のシステムにログインを行う、という事は一般的に行われている。
【０００３】
個人認証の方法としてはユーザにパスワードを入力させるもの、個人の指紋や静脈パターンなどの生体情報を認証情報として使用するものがある。また、ユーザの持つＩＣカードのIDやパスワードを、情報処理装置のＩＣカードリーダが読み出して認証を行う方法もある(例えば、特許文献１参照)。。
【０００４】
さらに最近になり、認証情報を記憶した端末をユーザが携帯しておき、ユーザの手や足などで認証装置の受信部にタッチする（触る）と、ユーザの人体を通信路にして、端末と認証装置が通信し、端末内の認証情報に基づいてユーザの識別および認証を行う人体を通信路とした認証技術が実用化されている（例えば、特許文献２、３参照）。  
【０００５】
この人体通信を用いた個人認証は、特定部にタッチするだけなので操作が簡単であり、秘匿情報である認証情報をタッチ時のみに人体を通じてやり取りするので、情報漏洩などに対して比較的セキュリティの高い方式であり今後の普及が見込まれている。
【先行技術文献】
【特許文献】
【０００６】
【特許文献１】特開２００３−１７８０３４号公報
【特許文献２】特開２００６−２６８６１４号公報
【特許文献３】特開２００５−２７０９５号公報
【発明の概要】
【発明が解決しようとする課題】
【０００７】
従来の認証方式では、ユーザが何を認証データとして機器に入力しているかが解りやすかった。つまり、パスワード、指紋、ＩＣカードはユーザが意識して認証情報を機器に入力を行う。
しかし、人体通信の認証ではユーザが服のポケットなどに携帯端末を入れておき、ユーザが指などで認証装置の受信部にタッチ（触る）事で認証が可能となる。
ユーザの立場からすれば、認証用のＩＤを持った携帯端末を保持しているという意識が低くなりがちである。そのため、認証用の携帯端末を持たないケースのみならず、間違えて複数の携帯端末を持ってしまうケースが考えられる。また人体通信の場合にはユーザ１人が認証を行おうとした際に、他の携帯端末を持つユーザと体が接触していると、ユーザ２人のもつ携帯端末の認証情報が情報処理装置から読みだせてしまうというケースも考えられる。
そのような場合、従来の技術では情報処理装置はどの携帯端末の認証情報を用いて、情報処理装置にログインさせてよいのか判断できなかった。さらに、人体通信の端末として情報処理装置にログインするためのＩＤをもったデバイスだけでは無く、ログインするためのＩＤを持たない携帯電話やデジカメなどの携帯端末機器も存在する。そのため、人体通信の認証ではログインに必要のない端末の情報も読み出せる可能性がある。
今後、人体通信が普及した際には上記のようなケースを判断し、認証を不可にしたり、認証情報を選択してログインを可能にしたり、対応を決めておく必要があるが現状は確立されていない。
【０００８】
本発明は、上記の課題を解決するためになされたもので、本発明の目的は、ログインするユーザが携帯する携帯端末の数に適応して、当該ユーザの情報処理装置へのログインを制御できる仕組みを提供することである。
【課題を解決するための手段】
【０００９】
上記目的を達成する本発明の情報処理装置は以下に示す構成を備える。
所定の情報処理を行う情報処理装置であって、ＩＤ情報が記憶された携帯端末と人体通信するインタフェースと、前記インタフェースにより複数の通信端末と通信しているかどうかを判断する第１の判断手段と、前記複数の携帯端末と通信していると判断した場合、前記人体通信によるログイン処理を制限する制限手段と、を備えることを特徴とする。
【発明の効果】
【００１０】
本発明によれば、ログインするユーザが携帯する携帯端末の数に適応して、当該ユーザの情報処理装置へのログインを制御できる。
【図面の簡単な説明】
【００１１】
【図１】情報処理装置の一例を示す図である。
【図２】情報処理装置のデータ通信形態を示す図である。
【図３】情報処理装置のハードウエア構成の一例を示すブロック図である。
【図４】図２に示した携帯端末のハードウエア構成の一例を示す図である。
【図５】記憶装置に記憶される情報のデータ構造を説明する図である。
【図６】記憶装置に記憶される情報のデータ構造を説明する図である。
【図７】記憶装置に記憶される情報のデータ構造を説明する図である。
【図８】制御部の機能構成の一例を示すブロック図である。
【図９】情報処理装置の制御方法を説明するフローチャートである。
【図１０】情報処理装置の制御方法を説明するフローチャートである。
【図１１】情報処理装置の制御方法を説明するフローチャートである。
【図１２】情報処理装置の制御方法を説明するフローチャートである。
【図１３】情報処理装置の制御方法を説明するフローチャートである。
【発明を実施するための形態】
【００１２】
次に本発明を実施するための最良の形態について図面を参照して説明する。
＜システム構成の説明＞
〔第１実施形態〕
【００１３】
図１は、本実施形態を示す情報処理装置の一例を示す図である。本例は、情報処理装置１として、例えば、コピー機能、スキャン機能、ＦＡＸ機能及び印刷機能など各種機能を備える一般的な複合機の例に対応する。また、情報処理装置１は、ユーザによる操作指示を入力する操作パネル２と、情報処理装置１の周囲の所定位置に配置されるフロアマット３とを備えている。
なお図例では、フロアマット３は、操作パネル２の設置箇所に対応して、情報処理装置１の正面側所定位置に敷設される場合を示している。
【００１４】
情報処理装置１は、ユーザが所持する携帯端末とデータ通信を行う場合、ユーザの人体を通信路として使用する人体通信方式が採用されている。上述した操作パネル２とフロアマット３は、そのような人体通信を行う際に、ユーザと情報処理装置１とをデータ通信可能な状態に接続するためのインタフェースとして機能するように構成される。
すなわち操作パネル２には、その操作パネル２を操作するユーザの指先などを介して人体通信を行うためのインタフェースとしてパネル通信部２ａが内蔵されている。また、フロアマット３には、そのフロアマット３に立った状態のユーザの足元から人体通信を行うためのインタフェースとしてマット通信部３ａが内蔵されている。情報処理装置１の人体通信のインタフェースはパネル通信部２ａとマット通信部３ａの両方を持ってもよいし、片方のみでもよい。
【００１５】
人体通信には複数の方式が用いられる。１例としては人体の表面に現れる電界の強度変化を利用してデータ通信を行う電界方式が採用される。この電界方式は、人体と接触する電極又は人体に近接する電極を介して人体の表面に現れる電界の強度を変化させることによりデータを送信すると共に、人体の表面の現れる電界の強度変化を検知することによりデータを受信する方式である。
【００１６】
図２は、本実施形態を示す情報処理装置のデータ通信形態を示す図である。本例は、情報処理装置１にユーザがログインをするため、認証動作を行っている状態に対応する。
図２において、情報処理装置１は、例えばユーザ７が操作パネル２に設けられる人体通信用の電極などにタッチした場合に人体通信を行う処理を開始する。情報処理装置１は、操作パネル２とユーザ７の人体とを介して携帯端末８から認証情報を取得しその認証情報に基づきユーザ認証を行う。また、フロアマット３に対して人体通信用の電極を設けておき、ユーザ７がフロアマット３に立ったことを情報処理装置１が認識し、フロアマット経由で人体通信を行う処理を開始しても良い。
ユーザ認証が成功すると、情報処理装置１はユーザ７に情報処理装置１のシステムにログインを許可し、操作指示に基づき例えばスキャンなどの各種処理を実行することが可能な状態となる。
また、図２では携帯ユーザの持つ携帯端末（通信端末）８は１個だが、複数持ってログインを行うケースや、他のユーザと接触したためログインする際に、携帯端末８が複数読めてしまうケースも考えられる。
【００１７】
図３は、図１に示した情報処理装置１のハードウエア構成の一例を示すブロック図である。
図３において、情報処理装置１は、この情報処理装置１の動作を制御する制御部１５を備える。人体通信部１８は、マット通信部３ａを介して操作者と人体通信を行う。２０は読み取り部で、原稿を読み取って画像データを出力する。２１は印刷処理部で、読取り部２０が読み取った画像データあるいは、図示しない情報処理装置から受信した印刷情報に基づいて展開された画像データに応じて印刷処理を実行する。２５はハードディスク等で構成される記憶装置で、情報処理装置１に係る各種情報を記憶する。ここで、各種情報には、ユーザ情報が含まれる。操作パネル２は、画像処理に必要なＵＩ画面を表示したり、当該ＵＩ画面にユーザがタッチあるいはタップすることで、各種のジョブ要求を受け付ける。３０はバスで、後述するデバイスと制御部１５とを接続する。
【００１８】
制御部１５は、ＣＰＵ１６とメモリ１７とを備えており、各部の動作を制御するものである。ＣＰＵ１６は、記憶装置２５に記憶されているプログラム２６を読み出して実行する。プログラム２６は、制御部１５を後述する各種処理部として機能させるためのプログラムである。メモリ１７は、ＣＰＵ１６がプログラムを実行することに伴う一時的なデータなどを記憶するものである。
【００１９】
操作パネル２は、上述したようにユーザによる操作指示を入力する構成を備えている。すなわち操作パネル２は、例えば液晶パネルなどで構成され各種情報を表示する表示部２ｂを備える。さらに、操作パネル２は、その表示部２ｂに対する操作を検知することでユーザによる操作指示を入力する操作入力部２ｃを備える。さらに、操作パネル２は、人体通信を行う際の電極などが組み込まれたパネル通信部２ａとを備えている。パネル通信部２ａは、上述したように操作パネル２を介して人体通信を行う際のインタフェースとなるものであり、本実施形態における第１の通信手段として設けられるものである。
【００２０】
人体通信部１８は、人体通信を行う通信モジュールである。人体通信部１８は、パネル通信部２ａやマット通信部３ａに対して携帯端末８への送信対象となるデータを出力したり、携帯端末８からの出力されるデータを受信し、その情報を制御部１５に出力したりする構成である。
【００２１】
マット通信部３ａは、上記パネル通信部２ａと同様に、人体通信を行うための電極などを備える構成である。そのマット通信部３ａが内蔵されるフロアマット３は、ユーザが操作パネル２を操作するときの位置に対応した場所に敷設される。そのためユーザは、自然な姿勢で操作パネル２を操作するとき、必然的にフロアマット３に立つ状態となる。
【００２２】
読取部２０は、原稿画像を読み取って画像データを出力する処理部である。例えば、原稿載置台に載置された複数の原稿を先頭から１枚ずつ搬送する原稿搬送部や、読み取った原稿画像を画像データに変換して出力する画像データ出力部などを備えている。
【００２３】
印刷処理部２１は、画像データに基づき印刷処理を実行することで印刷物を出力する処理部である。例えば、１枚ずつ給紙された用紙に対して、画像データに基づき画像形成を行う画像形成部、画像形成部によって形成されるトナー像（画像）を用紙に転写させる転写部を備える。さらに、印刷処理部２１は、用紙に転写されたトナー像を定着させる定着部、印刷された印刷物を排出する印刷物搬送部などを備えている。
【００２４】
記憶装置２５は、上述したプログラム２６の他に認証情報２７を記憶する。認証情報２７は、管理者などによって予め登録される携帯端末のＩＤ情報や、携帯端末のＩＤ情報に紐付けられた携帯端末の機能の情報を持つ。
【００２５】
図４は、図２に示した携帯端末８のハードウエア構成の一例を示す図である。
図４において、携帯端末８は、その携帯端末８の動作を制御する制御部８ａと、人体通信を行うための人体通信部８ｂと、プログラムや画像データなどの各種情報を記憶する記憶装置８ｃとを備えている。
また、図示していないが、携帯端末８はバッテリや電源制御部など携帯するために必要な構成を備えている。制御部８ａは、ＣＰＵやメモリなどを備えており、記憶装置８ｃに記憶されている各種プログラムを読出して実行することで人体通信に伴う処理を実行する。
【００２６】
また、人体通信部８ｂは、情報処理装置１との人体通信を行う通信モジュールである。記憶装置８ｃには、この携帯端末８を保持するユーザの識別情報などが記録された認証情報が記憶されている。これにより情報処理装置１は、記憶装置２５に記憶されている認証情報２７と携帯端末８から受け取る認証情報とに基づきユーザ認証を行うことが可能である。
【００２７】
図４に示す構成は、例えば携帯電話機やＩＣカードなどに組み込まれたものであっても良い。例えば携帯端末８がＩＣカードに組み込まれる場合、携帯端末８は、情報処理装置１から認証要求を受けたときに、そのＩＣカードに予め記録されている認証情報を読み取って、その読み取った認証情報を情報処理装置１に送信するように構成される。
図５〜図７は、図４に示した記憶装置８ｃに記憶される情報のデータ構造を説明する図である。本例では、複数種類の携帯端末８に関して、図４に示した記憶装置８ｃにＩＤや、特定の機能の情報が記憶して管理される例を説明する。
図５に示す保持データは、ＩＣカードの情報であり、ＩＤ：０００１１１、ユーザ名：Ｆ．Ｈａｒｕｎａ、機能：ＩＣカード、空き容量：０ｋＢ（＝書き込み不可）、保存ファイル；０個という情報を持つ。
図６に示す保持データは、メモリの情報であり、ＩＤ：０００２２２、ユーザ名：−、機能：メモリ、空き容量：２５６ＭＢ、保存ファイル；１２個という情報を持つ。
図７に示す保持データは、携帯電話の情報であり、ＩＤ：０００３３３、ユーザ名：Ｆ．Ｎａｏ、機能：携帯電話、空き容量：１．５ＧＢ、保存ファイル；１１５個という情報を持つ。
【００２８】
図８は、図３に示した情報処理装置１における制御部１５の機能構成の一例を示すブロック図である。以下、図８を参照しつつ制御部１５における具体的なユーザ認証処理について説明していく。
制御部１５は、上述したＣＰＵ１６がプログラム２６を実行することにより、パネル制御部３１、認証部３２及び画像データ送受信部３３として機能する。認証部３２は、人体通信によりユーザ認証を行う処理部である。
【００２９】
操作パネル２がフロアマット３上で操作するユーザによりタッチされた場合、操作パネル２の動作を制御するパネル制御部３１が、ユーザが操作パネル２にタッチしたのを検知し、携帯端末８と情報処理装置１が人体通信で通信可能だと判断する。そして、認証部３２に対してパネル通信部２ａで通信可能な携帯端末８の認証処理を行うように指示する。
【００３０】
フロアマット３の場合は、人体通信部１８はマット通信部３ａを介して通信可能な端末が無いか常に監視している。ユーザがフロアマット３に立つと、人体通信部１８は通信可能な端末を認識することができる。そして、人体通信部１８は認証部３２に対してマット通信部３ａで通信可能な携帯端末８の認証処理を行うように指示する。
【００３１】
認証要求を受けた認証部３２は、人体通信部１８を介して携帯端末８に対して認証情報を要求する。人体通信部１８は、認証部３２から受け取る認証要求を、パネル通信部２ａやマット通信部３ａを介して携帯端末８に送信する。
【００３２】
認証部３２は、携帯端末８が応答することにより出力される認証情報を、パネル通信部２ａ及びマット通信部３ａから人体通信部１８を介して受け取る。すると、記憶装置２５を検索して、携帯端末８から受け取った認証情報と同一の認証情報２７が記憶装置２５に記憶されているか否かを判断する。
認証部３２は、携帯端末８から受け取った認証情報と同一の認証情報２７が記憶装置２５に記憶されている場合には、ユーザ認証が成功したと判断する。これによりユーザは、情報処理装置１にログインでき情報処理装置１の各種機能を使用可能となる。一方、認証部３２は、携帯端末８から受け取った認証情報と同一の認証情報２７が記憶装置２５に記憶されていない場合には、ユーザ認証が失敗したと判断する。
【００３３】
制御部１５は、ユーザ認証が成功した場合、例えばユーザに対してログインが許可されたことを表示部２ｂにおいて報知すると共に、操作パネル２にメニュー画面（ＵＩ画面）などを表示し、ユーザに対して実行すべき処理を選択できる。
【００３４】
また、携帯端末８は情報処理装置１のシステムの一部や、データの送信先に指定しても良い。例えば、ユーザによってスキャン送信メニューが選択されると、情報処理装置１は送信宛先として携帯端末８が指定可能であることを操作パネル２に表示させる。ユーザは操作パネル２上で携帯端末８を指定して、スキャン送信の送信宛先として指定できる。そして、情報処理装置１は、原稿画像を読み取って生成される画像データを、人体通信部１８、パネル通信部２ａかマット通信部３ａ、ユーザの人体を介して携帯端末８に送信するように処理を行う事ができる。
他の例としては、ユーザによってプリントメニューが選択されると、情報処理装置１はプリントデータの保存先として携帯端末８があることを操作パネル２に表示させる。ユーザは操作パネル２上で携帯端末８を指定して、携帯端末８の持つプリントデータを表示する。
ユーザは操作パネル２上でプリントデータを選択すると、情報処理装置１は携帯端末８からパネル通信部２ａかマット通信部３ａ、ユーザの人体、人体通信部１８を介して受信し、印刷処理部２１により印刷を行う。
次に、図１に示した情報処理装置１の動作を説明する。具体的には、ユーザが情報処理装置１に対してログインを行う際、情報処理装置１で認識できる携帯端末８は１つであるとは限らない。その際に、情報処理装置１がどのように動作するかを説明する。
【００３５】
図９は、本実施形態を示す情報処理装置の制御方法を説明するフローチャートである。なお、各ステップは、情報処理装置１のＣＰＵ１６が記憶装置２５に記憶されたプログラム２６を実行することで実現される。以下、携帯端末８を複数備える通常の要求者である場合に、ログイン処理を制限する処理を説明する。
【００３６】
Ｓ９０１では、ＣＰＵ１６が情報処理装置１は人体通信で携帯端末８のＩＤが読み出せるか判断する。ここで、携帯端末８のＩＤが読めないとＣＰＵ１６が判断した場合、再びＳ９０１へ、ＩＤ情報が読むことができたとＣＰＵ１６が判断した場合、Ｓ９０２へ行く。
Ｓ９０２では、読み出したＩＤは情報処理装置１へのログインに有効な物があるか判断と、携帯端末８の端末情報（機能、保持データ）の確認を行う。この際に読み出すＩＤや端末情報は１つではなく複数ある可能性がある。
Ｓ９０３では、ＣＰＵ１６がＳ９０２で読み出した携帯端末８のＩＤのうち、情報処理装置１のログインが可能である有効なＩＤを判断する。ここで、有効なＩＤが１つでは無いとＣＰＵ１６が判断した場合にはＳ９０４へ、有効なＩＤが１つであるとＣＰＵ１６が判断した場合にはＳ９０５へ移る。
Ｓ９０４では、ＣＰＵ１６が表示部２ｂに対して有効なＩＤが無いか有効なＩＤが複数あるため情報処理装置１にログイン不可であることをユーザに通知する。なお、当該通知は操作パネル２の表示部２ｂに表示して行っても良いし、別の方法を用いても良い。
Ｓ９０５では、ＣＰＵ１６は、有効な１つのＩＤを用いて情報処理装置１へログイン処理を行う。
このような方法を用いれば情報処理装置１は有効なＩＤをもつ携帯端末８が１つであればログインを可能とし、有効なＩＤをもつ携帯端末が無い、複数の場合にはログインを不可とする事ができる。
【００３７】
図１０は、本実施形態を示す情報処理装置の制御方法を説明するフローチャートである。なお、各ステップは、情報処理装置１のＣＰＵ１６が記憶装置２５に記憶されたプログラム２６を実行することで実現される。なお、Ｓ１００１〜Ｓ１００５は、Ｓ９０１〜Ｓ９０５と同じであるため説明を省く。
【００３８】
Ｓ１００６では、ＣＰＵ１６がログインに使用されなかったＩＤの携帯端末８や、無効と判断されたＩＤの携帯端末８の端末の機能を使用するかユーザに判断する。ここで、無効と判断されたＩＤの携帯端末８の端末の機能を使用するとＣＰＵ１６が判断した場合、Ｓ１００７において、ＣＰＵ１６が携帯端末８の機能を判断して情報処理装置１が使用可能とする。例えば携帯端末８が画像を保持するメモリとして使用できる場合には、画像を記憶する保存先（記憶先）として携帯端末８を指定できる状態に遷移する。
【００３９】
このような方法を用いれば情報処理装置１はログインに使用されなかった有効なＩＤをもつ携帯端末８や、無効なＩＤを持つ携帯端末８の機能を使用する／しないをユーザが指定する事ができる。
【００４０】
図１１は、本実施形態を示す情報処理装置の制御方法を説明するフローチャートである。なお、各ステップは、情報処理装置１のＣＰＵ１６が記憶装置２５に記憶されたプログラム２６を実行することで実現される。
Ｓ１１０１では、ＣＰＵ１６が携帯端末８のＩＤを読むことができるかどうかを判断する。ここで、読むことができないとＣＰＵ１６が判断した場合、再びＳ１１０１へ、ＩＤ情報が読むことができるとＣＰＵ１６が判断した場合は、Ｓ１１０２へ移行する。
Ｓ１１０２では、ＣＰＵ１６は、携帯端末８のＩＤを読み出しログインに有効か判断する。ここで、Ｓ１１０３では、ＣＰＵ１６が有効なＩＤが１つであるか判断する。ここで、有効なＩＤが１つであるとＣＰＵ１６が判断した場合にはＳ１１０７へ、１つで無いないとＣＰＵ１６が判断した場合にはＳ１１０４へ移行する。
Ｓ１１０４では、ＣＰＵ１６が有効なＩＤをもつ携帯端末８が複数あるか判断する。ここで、有効なＩＤが複数無いと判断した場合つまり、有効なＩＤを持つ携帯端末８がいない場合にはＳ１１０５へ移行してログインが不可であることをユーザに通知する。
Ｓ１１０４で、有効なＩＤが複数あるとＣＰＵ１６が判断した場合にはＳ１１０６へ移行する。Ｓ１１０６では、操作パネル２などに有効なＩＤを表示し、ユーザにログインを行う携帯端末８のＩＤを選択させた後、Ｓ１１０８へ進む。
一方、Ｓ１１０７では、ＣＰＵ１６は有効なＩＤ１つを用いて情報処理装置１に対してログインを行う。Ｓ１１０８では、ＣＰＵ１６がログインに使用しなかったＩＤや情報処理装置１のログインには無効なＩＤをもつ携帯端末８の機能を使用するか判断する。ここで、無効なＩＤをもつ携帯端末８の機能を使用しないとＣＰＵ１６が判断した場合はそのまま処理を終了する。また、無効なＩＤをもつ携帯端末８の機能を使用するとＣＰＵ１６が判断した場合はＳ１１０９において携帯端末８の機能を判断して情報処理装置１が使用可能とする。
【００４１】
このような方法を用いれば情報処理装置１は有効なＩＤをもつ携帯端末８が複数確認できた場合に、ユーザにログインする携帯端末８のＩＤを選択させ、情報処理装置１にログインさせる事が可能となる。
【００４２】
図１２は、本実施形態を示す情報処理装置の制御方法を説明するフローチャートである。なお、各ステップは、情報処理装置１のＣＰＵ１６が記憶装置２５に記憶されたプログラム２６を実行することで実現される。
Ｓ１２０１では、ＣＰＵ１６が携帯端末８のＩＤが読むことができるかどうかを判断する。携帯端末８のＩＤを読むことができないとＣＰＵ１６が判断した場合、再びＳ１２０１へ、ＩＤ情報を読むことができるとＣＰＵ１６が判断した場合、Ｓ１２０２へ移行する。
Ｓ１２０２では、ＣＰＵ１６が携帯端末８のＩＤや機能の組み合わせを判断する。Ｓ１２０３では、ＣＰＵ１６が情報処理装置１の記憶装置２５に記憶された携帯端末８のＩＤや機能の組み合わせを確認し、今回確認された組み合わせが新規であるか判断する。ここで、組み合わせが新規であるとＣＰＵ１６が判断した場合はＳ１２０５へ、組み合わせが新規で無いとＣＰＵ１６が判断した場合はＳ１２０４へ移る。そして、Ｓ１２０４で、ＣＰＵ１６が前回選択されたＩＤでのログイン処理を実行し、携帯端末８の機能の使用、未使用の設定を行う。
なお、Ｓ１２０５〜Ｓ１２１１に関しては、図１１のフローで説明したＳ１１０３〜Ｓ１１０９と同様であるため説明を省略する。Ｓ１２１２では、今回ログインされた携帯端末８の組み合わせ、ログインに使用されたＩＤや携帯端末８の機能の使用／未使用を情報処理装置１の記憶装置２５へ記憶する。
【００４３】
このような方法を用いれば情報処理装置１は、ユーザが持つ携帯端末８の組み合わせを記憶しておき、記憶していた組み合わせでログインが行われた場合、自動的に情報処理装置１へのログインが可能となる。
【００４４】
図１３は、本実施形態を示す情報処理装置の制御方法を説明するフローチャートである。なお、各ステップは、情報処理装置１のＣＰＵ１６が記憶装置２５に記憶されたプログラム２６を実行することで実現される。なお、情報処理装置１に記載したログイン時の携帯端末８の組み合わせは、記憶装置２５に記憶されている。記憶された組みあわせに関しては、情報処理装置１にログインしたユーザが管理者権限をもっていた場合には全ての組み合わせを消せる。情報処理装置１にログインしたユーザが一般ユーザだった場合には自身の持つ携帯端末８のＩＤに係わる部分のみが消去可能とする。
【００４５】
本実施形態に示す処理は、情報処理装置１にログインを行った後、携帯端末８の組み合わせを登録するモードを持たせ、新しい組み合わせを登録できるようにすることを特徴とする。登録方法としてはユーザに新しい携帯端末８の組み合わせを持ってもらい、パネル通信部２ａ、マット通信部３ａから読み出した携帯端末８の情報を登録してもよいしそれ以外の方法を取っても良い。
【００４６】
ログイン時に情報処理装置１に有効なＩＤを認識し、そのうちの１つを選択してログインを行っている。しかし、ユーザはログイン中に別ＩＤへ、切り替えたいケースも考えられる。そこで、情報処理装置１の機能としてログイン時に使用した以外の有効な携帯端末８のＩＤを記憶しておき、記憶したＩＤでのログインに切替するメニューを設け、ログインするＩＤを切り替えられるようにする。
【００４７】
図１３において、Ｓ１３０１〜Ｓ１３１２に関しては図１２のＳ１２０１、１２０２、Ｓ１２０４〜Ｓ１２１２と同様のため説明を省略する。
Ｓ１３０３では、ＣＰＵ１６は、管理者ＩＤがあるかないかを判断する。管理者ＩＤが無いとＣＰＵ１６が判断した場合は、Ｓ１３０４へ、管理者ＩＤがあるとＣＰＵ１６が判断した場合には、Ｓ１３１３へ移る。Ｓ１３１３では、管理者ＩＤで情報処理装置１へログインを行う。
このような方法を用いれば、管理者のＩＤを持つ携帯端末８のユーザは自動的に管理者モードで情報処理装置１へログインする事が可能となる。
【００４８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５０】
１  情報処理装置
３  フロアマット
【図１】
2015219883.tif 000003
【図２】
2015219883.tif 000004
【図３】
2015219883.tif 000005
【図４】
2015219883.tif 000006
【図５】
2015219883.tif 000007
【図６】
2015219883.tif 000008
【図７】
2015219883.tif 000009
【図８】
2015219883.tif 000010
【図９】
2015219883.tif 000011
【図１０】
2015219883.tif 000012
【図１１】
2015219883.tif 000013
【図１２】
2015219883.tif 000014
【図１３】
2015219883.tif 000015